(57)【特許請求の範囲】
【請求項１】
走行装置の上方位置に設けたグレンタンク５と、該グレンタンク５内の穀粒を揚殻する揚穀装置１１と、該揚穀装置１１の上部にその先端が縦軸旋回自在かつ上下動自在に排出オーガ１３の基部を取付けた構成において、前記排出オーガ１３には、該排出オーガ１３の先端の移動操作および穀物排出操作を行えるオーガ側操作部１５を設け、該オーガ側操作部１５は、前記排出オーガ１３に設けた案内レール１６に摺動体１７を嵌合させ、該摺動体１７に取付部材１８により操作ボックス１９を取付けて、前記排出オーガ１３に対して該オーガ１３の長さ方向に移動可能にすると共に、前記操作ボックス１９は取付部材１８中心に回転して向き変更可能にし、前記摺動体１７に形成した複数の係合孔２１にピン２２を選択係合させて固定するように構成し、前記操作ボックス１９には、排出オーガ１３の位置を合わせるための位置変更操作レバー２３を設け、該位置変更操作レバー２３は排出オーガ１３の下方に位置させたとき、排出オーガ１３の移動方向と位置変更操作レバー２３の操作方向とが一致するように構成した作業車の穀物排出装置。
【発明の詳細な説明】
【０００１】
【産業上の利用分野】
本発明は、コンバインや運搬車の作業車の穀物排出装置に係るものである。
【０００２】
【従来技術】
従来公知の、特開平２−５３４２１号公報には、走行装置の上方位置に設けたグレンタンクと、該グレンタンク内の穀粒を揚殻する揚穀装置と、該揚穀装置の上部にその先端が縦軸旋回自在かつ上下動自在に排出オーガの基部を取付けた構成において、前記排出オーガには、該排出オーガの先端の移動操作を行える操作部を設けた構成について記載されている。
【０００３】
【発明が解決しようとする課題】
前記公知例は、排出オーガに設けた操作部が、オーガに対して固定状態に設けられているので、作業状態によっては、操作部の操作が非常に困難で、操作性および作業性が低いという課題がある。
また、前記公知例は、排出オーガに設けた操作部では、穀物の排出操作は行えないので、いちいち機体側の操作部に戻るか、二人で操作する必要があるという課題がある。
【０００４】
【発明の目的】
各装置のオンオフ操作の適切化、操作性および作業性の向上。
【０００５】
【課題を解決するための手段】
本発明は、走行装置の上方位置に設けたグレンタンク５と、該グレンタンク５内の穀粒を揚殻する揚穀装置１１と、該揚穀装置１１の上部にその先端が縦軸旋回自在かつ上下動自在に排出オーガ１３の基部を取付けた構成において、前記排出オーガ１３には、該排出オーガ１３の先端の移動操作および穀物排出操作を行えるオーガ側操作部１５を設け、該オーガ側操作部１５は、前記排出オーガ１３に設けた案内レール１６に摺動体１７を嵌合させ、該摺動体１７に取付部材１８により操作ボックス１９を取付けて、前記排出オーガ１３に対して該オーガ１３の長さ方向に移動可能にすると共に、前記操作ボックス１９は取付部材１８中心に回転して向き変更可能にし、前記摺動体１７に形成した複数の係合孔２１にピン２２を選択係合させて固定するように構成し、前記操作ボックス１９には、排出オーガ１３の位置を合わせるための位置変更操作レバー２３を設け、該位置変更操作レバー２３は排出オーガ１３の下方に位置させたとき、排出オーガ１３の移動方向と位置変更操作レバー２３の操作方向とが一致するように構成した作業車の穀物排出装置としたものである。
【０００６】
【実施例】
本発明の実施例を図面により説明すると、１は作業車の機体フレ−ムであり、コンバインの例にて説明する。２は機体フレ−ム１の下部位置に設けた走行装置、３は機体フレ−ム１の上方位置に設けた脱穀装置、４は脱穀装置３の前方位置に設けた刈取部である。
前記脱穀装置３の側部には、該脱穀装置３の一番コンベアにより取出された穀物を一時貯留するグレンタンク５を設け、グレンタンク５と前記刈取部４の間に機体側操縦部６を設ける。７は座席、８はパワステレバー、９は主変速レバーである。
グレンタンク５内には該タンク５内の穀物を排出する排出装置１０を設け、排出装置１０には該グレンタンク５内の穀物を揚穀する揚穀装置１１の下部を下部メタル１２を介して取付ける。揚穀装置１１内には、図示は省略するが螺旋翼等を設けて穀物を揚殻し得るように構成する。
揚穀装置１１の上部には揚穀装置１１により揚殻された穀物を圃場近傍に停車させたトラック等のタンクに排出する排出オーガ１３の基部を取付ける。前記排出オーガ１３は、油圧シリンダー等の任意の作動装置により排出オーガ１３の先端が、前記揚穀装置１１の軸心を中心に縦軸回転自在であって、かつ、先端が上下するように構成する。また、排出オーガ１３は脱穀装置３側に設けた支持ホルダ１４に載置して格納するが、排出位置から格納位置に自動格納するように構成する。
【０００７】
しかして、排出オーガ１３には、先端の移動操作および穀物排出操作を行えるオーガ側操作部１５を設ける。オーガ側操作部１５は前記排出オーガ１３に案内レール１６を設け、案内レール１６に摺動体１７を嵌合させ、摺動体１７にボルト等の取付部材１８により操作ボックス１９を取付ける。操作ボックス１９は前記摺動体１７に対して向きを変更自在に構成する。即ち、取付部材１８中心に回転するようにし、向きを変更する。例えば、摺動体１７と操作ボックス１９の間に嵌合するボールと複数の嵌合凹部を形成する等、この具体的構成は任意であるが、実施例では、取付部材１８にバネ２０を巻回し、回転抵抗摩擦を大にすると共に、前記摺動体１７に係合孔２１を形成し、係合孔２１にピン２２を選択係合させている。
操作ボックス１９には、排出オーガ１３の位置を合わせるための位置変更操作レバー２３を設ける。位置変更操作レバー２３は排出オーガ１３の先端を上下および旋回させるもので、前記油圧シリンダー等を作動させる。また、位置変更操作レバー２３は排出オーガ１３の下方に位置させたとき、排出オーガ１３の移動方向と位置変更操作レバー２３の操作方向とが一致するように構成する。
【０００８】
前記操作ボックス１９には、排出オーガ１３を支持ホルダ１４に自動収納させる収納スイッチ２４を設ける。また、操作ボックス１９には、排出スイッチ２５および停止スイッチ２６を設ける。排出スイッチ２５および停止スイッチ２６は排出オーガ１３に回転を伝達する排出クラッチ２７を入り切りするように構成する。即ち、エンジン２８の回転を排出装置１０に伝達する伝達経路中のベルト２９に接離するテンションクラッチプーリー３０を設け、該テンションクラッチプーリー３０を入り切りさせる。
テンションクラッチプーリー３０はアーム３１の先端に設け、アーム３１の中間部をフレーム３２に設けたステー３３に軸３４により回動自在に取付ける。アーム３１の側部には別のアーム３５を取付け、アーム３５は前記アーム３１に設けたピン３６に係合するように構成する。アーム３５にはワイヤー３７の一端を連結し、ワイヤー３７の他端はモータ３８側に取付け、モータ３８と前記排出スイッチ２５および停止スイッチ２６を接続する。３９はアーム３１をテンションクラッチプーリー３０が切り方向に回動するように付勢するバネである。前記軸３４には別のアーム４０を取付け、アーム４０は前記アーム３１に設けたピン３６に係合するように構成し、アーム４０には前記座席７の近傍に設けた手動操作レバー４１に接続したワイヤー４２を接続する。
しかして、オーガ側操作部１５は前記位置変更操作レバー２３も含めて排出オーガ１３の下方に位置したとき、突出しないように構成し、オーガ側操作部１５および他の部分の破損を防止する。
【０００９】
次に実施例の作用を述べる。
支持ホルダ１４に排出オーガ１３の途中部分を載置し、この状態で、刈取脱穀作業を行ない、グレンタンク５内に一定量の穀物が脱穀されると、機体を圃場近傍に待機中の軽トラックまで移動させる。
次に、排出オーガ１３を旋回および上下させ、軽トラックのタンク上方位置に位置させ、５内の排出装置１０と揚穀装置１１と排出オーガ１３を作動させ、排出装置１０により揚穀装置１１にグレンタンク５内の穀粒を搬送し、この穀粒を揚穀装置１１により排出オーガ１３に揚穀し、排出オーガ１３は軽トラックのタンクに排出する。
【００１０】
この場合、排出オーガ１３にオーガ側操作部１５を設け、オーガ側操作部１５にて排出オーガ１３の旋回および上下の位置合わせの操作が可能であり、オーガ側操作部１５は、前記排出オーガ１３に対して該オーガ１３の長さ方向に移動可能あるいは向き変更可能、又は、前記排出オーガ１３に対して該オーガ１３の長さ方向に移動可能、かつ、向き変更可に設けているから、作業状態に応じてオーガ側操作部１５を移動させることで、操作性および作業性を向上させる。特に、作業中の位置変更等の対応が確実に行える。
また、オーガ側操作部１５は、穀物排出に際しての各装置のオンオフ操作が可能であるから、各装置のオンオフ操作も適切なタイミングで行え、操作性および作業性を向上させる。特に、非常時の緊急停止等の対応が確実に行える。
【００１１】
また、機体側操縦部６とオーガ側操作部１５との２系統の操作可能に構成しているので、いずれかで行え、一方が操作不能になっても、操作を確保する。また、機体側操縦部６にて排出オーガ１３を穀粒排出状態まで操作した後、機体側操縦部６より離れて排出オーガ１３のオーガ側操作部１５で排出作業の操作を行い、作業を終了すると、排出オーガ１３を収納し、直ちに機体側操縦部６に戻って次の作業をできるので、一人作業も可能となる。
しかして、オーガ側操作部１５は、排出オーガ１３に設けた案内レール１６に嵌合させた摺動体１７に取付けているから、排出オーガ１３の長さ方向に移動可能であり、作業者の位置に合わせてオーガ側操作部１５を移動させることにより、操作性を向上させる。
また、摺動体１７に対して操作ボックス１９を向き変更自在に構成しているから、操作性を向上させる。即ち、ピン２２を抜いて操作ボックス１９を回転させ、ピン２２を別の係合孔２１に係合させると、操作ボックス１９の向きを変更し得る。したがって、ピン２２が係合孔２１に係合しているので、オーガ側操作部１５は強固に固定状態になり、種々の操作に対しても不動で、操作に悪影響を与えない。
【００１２】
しかして、オーガ側操作部１５の操作ボックス１９に設けた排出オーガ１３の位置を合わせるための位置変更操作レバー２３は、排出オーガ１３の移動方向と位置変更操作レバー２３の操作方向とが一致するように構成しているから、誤操作を防止して、操作性を向上させる。
また、操作ボックス１９には、排出オーガ１３に伝達する回転を入り切りする排出クラッチ２７の排出スイッチ２５および停止スイッチ２６を設け、排出クラッチ２７はエンジン２８の回転を１０に伝達する伝達経路中のベルト２９に接離するテンションクラッチプーリー３０により構成しているから、排出スイッチ２５を操作すると、モータ３８が回転し、これによりワイヤー３７を牽引し、ワイヤー３７はアーム３５の一端を牽引して回動し、アーム３５の他端がアーム３１のピン３６に係合し、バネ３９に抗してアーム３１を軸３４を中心に回動させてテンションクラッチプーリー３０をベルト２９に当接させてクラッチ入りにする。停止スイッチ２６を操作すると、モータ３８が逆回転してワイヤー３７を弛め、バネ３９の弾力によりアーム３１を軸３４を中心に回動させてテンションクラッチプーリー３０をベルト２９より離脱させてクラッチ切りにする。
【００１３】
また、前記軸３４には別のアーム４０を取付け、アーム４０は前記アーム３１に設けたピン３６に係合するように構成し、アーム４０には前記座席７の近傍に設けた手動操作レバー４１に接続したワイヤー４２を接続しているから、手動操作レバー４１を操作すると、ワイヤー４２を牽引し、アーム４０を回動させ、クラッチ入りにし、アーム４０を戻すと、ワイヤー４２を弛め、バネ３９の弾力によりアーム３１を軸３４を中心に回動させてテンションクラッチプーリー３０をベルト２９より離脱させてクラッチ切りにする。
したがって、テンションクラッチプーリー３０の操作について、２系統の操作経路を構成し、操作の確保をしている。また、テンションクラッチプーリー３０は手動操作レバー４１のみで、操作する機種については、モータ３８等を追加するだけであるから、構造を変えることなく、追加でき、後付けも可能になる。
【００１４】
【効果】
本発明は、走行装置の上方位置に設けたグレンタンク５と、該グレンタンク５内の穀粒を揚殻する揚穀装置１１と、該揚穀装置１１の上部にその先端が縦軸旋回自在かつ上下動自在に排出オーガ１３の基部を取付けた構成において、前記排出オーガ１３には、該排出オーガ１３の先端の移動操作および穀物排出操作を行えるオーガ側操作部１５を設け、該オーガ側操作部１５は、前記排出オーガ１３に設けた案内レール１６に摺動体１７を嵌合させ、該摺動体１７に取付部材１８により操作ボックス１９を取付けて、前記排出オーガ１３に対して該オーガ１３の長さ方向に移動可能にすると共に、前記操作ボックス１９は取付部材１８中心に回転して向き変更可能にし、前記摺動体１７に形成した複数の係合孔２１にピン２２を選択係合させて固定するように構成し、前記操作ボックス１９には、排出オーガ１３の位置を合わせるための位置変更操作レバー２３を設け、該位置変更操作レバー２３は排出オーガ１３の下方に位置させたとき、排出オーガ１３の移動方向と位置変更操作レバー２３の操作方向とが一致するように構成した作業車の穀物排出装置としたものであるから、オーガ側操作部１５にて排出オーガ１３の旋回および上下の位置合わせの操作が可能であり、作業状態に応じてオーガ側操作部１５を移動させることで、操作性および作業性を向上させる。特に、作業中の位置変更等の対応が確実に行える。また、各装置のオンオフ操作も適切なタイミングで行え、操作性および作業性を向上させる。
【図面の簡単な説明】
【図１】コンバインの側面図。
【図２】オーガ側操作部の取付状態斜視図。
【図３】オーガ側操作部の縦断背面図。
【図４】同縦断側面図。
【図５】同平面図。
【図６】伝動機構の説明図。
【図７】同一部斜視図。
【符号の説明】
１…機体フレ−ム、２…走行装置、３…脱穀装置、４…刈取部、５…グレンタンク、６…操縦部、７…座席、８…パワステレバー、９…主変速レバー、１０…排出装置、１１…揚穀装置、１２…下部メタル、１３…排出オーガ、１４…支持ホルダ、１５…操作部、１６…案内レール、１７…摺動体、１８…取付部材、１９…操作ボックス、２０…バネ、２１…係合孔、２２…ピン、２３…位置変更操作レバー、２４…収納スイッチ、２５…排出スイッチ、２６…停止スイッチ、２７…排出クラッチ、２８…エンジン、２９…ベルト、３０…テンションクラッチプーリー、３１…アーム、３２…フレーム、３３…ステー、３４…軸、３５…アーム３５、３６…ピン、３７…ワイヤー、３８…モータ、３９…バネ、４０…アーム、４１…手動操作レバー、４２…ワイヤー。
【図１】
0003591081.tif 000002
【図２】
0003591081.tif 000003
【図３】
0003591081.tif 000004
【図４】
0003591081.tif 000005
【図５】
0003591081.tif 000006
【図６】
0003591081.tif 000007
【図７】
0003591081.tif 000008